(57)【要約】【課題】効率を向上でき、配光制御も容易にできる照明装置を提供する。【解決手段】照明装置10は、器具本体11、発光モジュール12および反射体13を備える。発光モジュール12は、器具本体11に配置される基板30、および基板30に実装された発光素子31を有する。反射体13は、器具本体11に取り付ける。反射体13は、反射鏡部40と反射枠部41とを有する。反射鏡部40は、発光素子31からの光を出射する出射孔43を設けているとともに出射孔43から出射する光の配光を制御する第１の反射面45を設けている。反射枠部41は、筒状で、一端側に反射鏡部40を一体に形成しているとともに、他端側に照射開口46を形成し、一端側から他端側に亘る内面に反射鏡部40から出射する光の配光の制御する第２の反射面47を設けている。【選択図】図１
2016066501.tif 000002
【特許請求の範囲】
【請求項１】
器具本体と；
前記器具本体に配置される基板、およびこの基板に実装された発光素子を有する発光モジュールと；
前記発光素子からの光を出射する出射孔が設けられているとともに前記出射孔から出射する光の配光を制御する第１の反射面が設けられた反射鏡部と、筒状で、一端側に前記反射鏡部が一体に形成されているとともに、他端側に照射開口が形成され、一端側から他端側に亘る内面に前記反射鏡部から出射する光の配光の制御する第２の反射面が設けられた反射枠部とを有し、前記器具本体に取り付けられた反射体と；
を具備することを特徴とする照明装置。
【請求項２】
前記反射体は、前記基板に接触して前記基板を前記器具本体に押し付ける接触部が一体に形成されている
ことを特徴とする請求項１記載の照明装置。
【請求項３】
前記反射体に、前記照射開口側から挿入されて前記反射体に取り付けられた透光カバーを具備する
ことを特徴とする請求項１または２記載の照明装置。
【発明の詳細な説明】
【技術分野】
【０００１】
本発明の実施形態は、発光モジュールを用いた照明装置に関する。
【背景技術】
【０００２】
従来、例えばダウンライト等の照明装置では、器具本体の下部に、発光素子を有する発光モジュールが取り付けられるとともに、発光素子が発する光の配光を制御する反射鏡が取り付けられ、さらに、天井に設置するための筒状の化粧枠が取り付けられている。
【０００３】
このような照明装置では、発光素子が発する光を、反射鏡と化粧枠の内面との２つの異なる部品で行っているため、反射鏡と化粧枠との間で、光損失が生じて効率が低下したり、配光制御が難しくなることがある。
【先行技術文献】
【特許文献】
【０００４】
【特許文献１】特開２０１３−１８２７３４号公報
【発明の概要】
【発明が解決しようとする課題】
【０００５】
本発明が解決しようとする課題は、効率を向上でき、配光制御も容易にできる照明装置を提供することである。
【課題を解決するための手段】
【０００６】
実施形態の照明装置は、器具本体、発光モジュールおよび反射体を備える。発光モジュールは、器具本体に配置される基板、および基板に実装された発光素子を有する。反射体は、器具本体に取り付ける。反射体は、反射鏡部と反射枠部とを有する。反射鏡部は、発光素子からの光を出射する出射孔を設けているとともに出射孔から出射する光の配光を制御する第１の反射面を設けている。反射枠部は、筒状で、一端側に反射鏡部を一体に形成しているとともに、他端側に照射開口を形成し、一端側から他端側に亘る内面に反射鏡部から出射する光の配光の制御する第２の反射面を設けている。
【発明の効果】
【０００７】
本発明によれば、効率を向上でき、配光制御も容易にすることが期待できる。
【図面の簡単な説明】
【０００８】
【図１】一実施形態を示す照明装置の断面図である。
【図２】同上照明装置の分解状態の斜視図である。
【図３】同上照明装置の組立状態の斜視図である。
【図４】同上照明装置の反射体の斜視図である。
【発明を実施するための形態】
【０００９】
以下、一実施形態を、図１ないし図４を参照して説明する。
【００１０】
照明装置10は、例えば天井部材に形成された埋込孔に埋め込み設置されるダウンライトである。
【００１１】
照明装置10は、器具本体11、この器具本体11の下面に配置される発光モジュール12、器具本体11の下部に取り付けられる反射体13、反射体13に取り付けられる透光カバー14、および反射体13を天井部材に取り付けるための複数の取付ばね15を備えている。
【００１２】
そして、器具本体11は、例えばアルミダイカスト製の放熱体である。器具本体11は、平板状の基部20を有し、基部20の下面に発光モジュール12を配置する平面状の取付面21が形成され、基部20の上面側に複数の放熱フィン22が突設されている。
【００１３】
取付面21の周辺部には、発光モジュール12の外形基準で位置決めする複数の突起23が形成されているとともに、基部20を貫通する配線孔24が形成されている。さらに、取付面21の周辺部には、反射体13を取り付けるための環状の突出部25が形成されている。この突出部25の複数個所に、反射体13を固定するためのねじが挿通する挿通孔26が形成されている。
【００１４】
器具本体11の上部には天板27が取り付けられ、この天板27に電源ユニット28が取り付けられている。電源ユニット28は、交流電力を所定の直流電力に変換して発光モジュール12に供給する。
【００１５】
また、発光モジュール12は、基板30、およびこの基板30に実装された複数の発光素子31を備えている。発光素子31は、発光モジュール12の中心部を中心とする円周方向に所定の間隔で配置されている。発光素子31は、例えば、パッケージ内にＬＥＤを収納して蛍光体を含有した蛍光体層で封止したＳＭＤ（Surface Mount Device）パッケージが用いられる。なお、発光素子31は、基板に実装した複数のＬＥＤを、蛍光体を含有した透光性樹脂で封止したＣＯＢモジュールでもよく、あるいはＬＥＤ以外の例えば有機ＥＬ等の他の発光素子を用いてもよい。
【００１６】
また、反射体13は、発光素子31の光の配光を制御する反射鏡の機能と、器具本体11を支持して天井部材の埋込孔に設置される化粧枠の機能を一体に備えている。
【００１７】
反射体13は、例えばアルミダイカスト等の金属材料または樹脂材料によって形成されている。反射体13は、反射鏡部40、反射枠部41および接触部42を備え、これら反射鏡部40、反射枠部41および接触部42が一体に形成されている。
【００１８】
反射鏡部40には、各発光素子31に対向して各発光素子31からの光を出射する複数の出射孔43が設けられている。出射孔43は、反射鏡部40の中心部を中心とする円周方向に所定の間隔で形成されている。各出射孔43の位置に対応して凹部44が形成され、凹部44の内面に出射孔43から出射される光の配光を制御するための第１の反射面45が形成されている。第１の反射面45は、出射孔43から出射方向に沿って拡開する複数の面によって構成されている。第１の反射面45には例えば蒸着によって反射膜が形成され、第１の反射面45は鏡面あるいは白色面に形成されている。
【００１９】
反射枠部41は、円筒状に形成されているとともに、一端側である上端側から他端側である下端側に行くに従って拡径するように形成されている。反射枠部41は、上端側に反射鏡部40が一体に形成されているとともに、下端側に照射開口46が形成されている。
【００２０】
反射枠部41の内面には、出射孔43から出射する光および第１の反射面45で反射する光の配光を制御する第２の反射面47が形成されている。第２の反射面47には例えば蒸着によって反射膜が形成され、第２の反射面47は鏡面あるいは白色面に形成されている。
【００２１】
反射枠部41と反射鏡部40の間、すなわち第１の反射面45と第２の反射面47との間に、透光カバー14が配置される段部48が形成されているとともに、透光カバー14を係止するための複数の係止孔49が形成されている。
【００２２】
反射枠部41の上端には器具本体11の突出部25に当接する環状の当接部50が形成されている。反射枠部41の下端周辺部には、天井部材の埋込孔を隠蔽して天井部材の下面に取り付けられる縁部51が形成されている。
【００２３】
反射枠部41の外周面には、器具本体11の挿通孔26を挿通したねじがねじ込まれる複数の取付孔52が形成されている。そして、ねじによって器具本体11と反射体13とが締付固定される。さらに、反射枠部41の外周面には、取付ばね15を取り付ける複数のばね取付部53が形成されている。
【００２４】
接触部42は、反射鏡部40の上面から突出されている。すなわち、接触部42は、各出射孔43の周辺部に環状に形成されている。さらに、接触部42は、反射鏡部40の中心部にも形成されている。そして、照明装置10の組立状態では、接触部42が基板30に接触し、接触部42で基板30を器具本体11に押し付ける。
【００２５】
また、透光カバー14は、例えばアクリル樹脂やガラス等で円板状に形成されている。透光カバー14は、反射体13の照射開口46から挿入して段部48に配置できる外形状に形成されている。透光カバー14の周辺部には複数の係止部60が突設されている。これら係止部60は反射体13の係止孔49に挿入されて係止孔49の縁に係止される。
【００２６】
また、取付ばね15は、板ばねによって構成されている。取付ばね15は、反射体13の側面に沿って弾性変形させた状態で反射体13とともに天井部材の埋込孔に挿入され、天井部材の上方で側方に展開して天井部材の上面側に当接し、照明装置10を天井部材に引き上げて保持する。
【００２７】
そして、このように構成された照明装置10では、反射体13の接触部42が基板30に接触し、接触部42で基板30を器具本体11に押し付け、基板30と器具本体11とを熱的に接合している。発光モジュール12が反射体13の反射鏡部40で覆われ、各発光素子31が反射鏡部40の各出射孔43に対向する。反射鏡部40の下面が透光カバー14で覆われている。
【００２８】
そして、電源ユニット28から発光モジュール12の発光素子31に電力を供給することにより、発光素子31が発光する。発光素子31の光は出射孔43から反射鏡部40の凹部44に出射され、凹部44に出射される一部の光は透光カバー14に直接入射し、他の光は第１の反射面45で反射して透光カバー14に入射する。透光カバー14に入射する光は透光カバー14を透過しして反射枠部41内に出射され、反射枠部41内に出射される一部の光は照射開口46から直接出射され、他の光は第２の反射面47で反射して照射開口46から出射される。
【００２９】
したがって、照射開口46から出射する光は、反射鏡部40の第１の反射面45および反射枠部41の第２の反射面47で配光が制御された光となる。
【００３０】
本実施形態の照明装置10によれば、第１の反射面45を有する反射鏡部40と第２の反射面47を有する反射枠部41を一体に形成しているため、部品点数の削減、および組立工数の削減を図ることができる。しかも、反射鏡部40と反射枠部41との間での光損失を低減でき、効率を向上できる。さらに、第１の反射面45と第２の反射面47とも一体であるため、これら第１の反射面45および第２の反射面47による配光制御を容易に行うことができる。
【００３１】
また、発光素子31が発生する熱が反射鏡部40に伝わることにより、反射鏡部40に伝わった熱を反射枠部41に効率よく熱伝導し、反射枠部41から空気中に放熱することができ、発光素子31の温度上昇を抑制することができる。
【００３２】
また、反射体13の接触部42が基板30に接触し、基板30を器具本体11に押し付けるため、基板30を器具本体11に熱的に結合させ、基板30から器具本体11への熱伝導性を向上させることにより、放熱性能を高め、発光素子31の温度上昇を抑制することができる。
【００３３】
また、透光カバー14は、反射体13の照射開口46側から挿入して反射体13に取り付けることができるため、透光カバー14を外してのメンテナンスや、透光カバー14の交換を容易に行うことができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
10    照明装置
11    器具本体
12    発光モジュール
13    反射体
14    透光カバー
30    基板
31    発光素子
40    反射鏡部
41    反射枠部
42    接触部
43    出射孔
45    第１の反射面
46    照射開口
47    第２の反射面
【図１】
2016066501.tif 000003
【図２】
2016066501.tif 000004
【図３】
2016066501.tif 000005
【図４】
2016066501.tif 000006